(57)【要約】      （修正有）【課題】ＩＣタグ読み取り機能を備えたＩＣタグリーダー内蔵携帯情報端末機を提供する。【解決手段】ＩＣタグの読取機能を備えるＩＣタグリーダーチップ２と、ＩＣタグリーダーチップに接続されるＩＣタグ用通信アンテナ３とを備えるＩＣタグリーダー４を携帯電話本体５内に内蔵する。ＩＣタグリーダーは、携帯電話本体から電源を供給され、携帯電話本体内に搭載されるＩＣタグ専用読取りアプリケーションによって作動し、携帯電話本体の表示部７に読取結果を表示する。ＩＣタグリーダーは、折り畳み式携帯電話本体の折り畳み時に於ける前面部６に取付けられていてもよい。【選択図】図１
0003189286.tif 000002
【実用新案登録請求の範囲】
【請求項１】
ＩＣタグの読取機能を備えるＩＣタグリーダーチップと、前記ＩＣタグリーダーチップに接続されるＩＣタグ用通信アンテナとを備えるＩＣタグリーダーを情報端末機本体内に内蔵することを特徴とするＩ Ｃタグリーダー内蔵携帯情報端末機。
【請求項２】
前記ＩＣタグリーダーは、前記情報端末機本体内の電源により電源を供給され、前記情報端末機本体内に搭載されるＩＣタグ専用読取りアプリケーションによって作動し、前記情報端末機本体の表示部に読取結果を表示するように構成されていることを特徴とする請求項１記載のＩＣタグリーダー内蔵携帯情報端末機。
【請求項３】
前記ＩＣタグリーダーは、折り畳み式情報端末機本体の折り畳み時に於ける前面部に取付けられることを特徴とする請求項１又は２記載のＩＣタグリーダー内蔵携帯情報端末機。
【請求項４】
前記情報端末機本体は、前記ＩＣタグリーダーがＩＣタグから読み取ったＷｅｂサイトアクセス情報に基づき、Ｗｅｂサイトにアクセス自在に構成されていることを特徴とする請求項１乃至３のうちいずれか一に記載のＩＣタグリーダー内蔵携帯情報端末機。
【考案の詳細な説明】
【背景技術】
【０００１】
本考案は、携帯電話、スマートフォン又はｉＰａｄ（登録商標）等の情報端末機本体内に、ＩＣタグを読取りできるＩＣタグリーダを内蔵するＩＣタグリーダー内蔵携帯情報端末機に関する。
【０００２】
近年ＩＣタグは広く普及し、種々の物品にＩＣタグが取付けられているが、その中で、ＩＣタグを取付けた携帯電話も知られている。
特許文献１もＩＣタグを取付けた携帯電話の一例であり、特許文献１は、内部回路をシールドする導電層を内蔵する電話機筐体に、識別情報を保持し、その識別情報を非接触で読み取り可能なＩＣタグを取付けたＩＣタグ付き携帯電話が記載されている。
【特許文献１】特開２００３−４６６２７号公報
【考案の開示】
【考案が解決しようとする課題】
【０００３】
前述したように、ＩＣタグを取付けた携帯電話は知られているが、一方、携帯電話によってＩＣ タグを読み取ることができれば、その利便性は極めて高くなり、携帯電話の用途が更に広がると共に、ＩＣタグの利用も更に進むものと思われる。
【０００４】
以上の現状に鑑み、本考案の目的は、ＩＣタグ読み取り機能を備えたＩＣタグリーダー内蔵携帯情報端末機を提供することを目的とする。
【課題を解決するための手段】
【０００５】
上記の課題を解決すべく、本考案は以下の構成を提供する。
請求項１に係る考案は、ＩＣタグの読取機能を備えるＩＣタグリーダーチップと、前記ＩＣタグリーダーチップに接続されるＩＣタグ用通信アンテナとを備えるＩＣタグリーダーを情報端末機本体内に内蔵することを特徴とるＩＣタグリーダー内蔵携帯情報端末機を提供するものである。
【０００６】
請求項２に係る考案は、前記ＩＣタグリーダーは、前記情報端末機本体内の電源により電源を供給され、前記情報端末機本体内に搭載されるＩＣタグ専用読取りアプリケーションによって作動し、前記情報端末機本体の表示部に読取結果を表示するように構成されていることを特徴とする請求項１記載のＩＣタグリーダー内蔵携帯情報端末機を提供するものである。
【０００７】
請求項３に係る考案は、前記ＩＣタグリーダーは、折り畳み式情報端末機本体の折り畳み時に於ける前面部に取付けられることを特徴とする請求項１又は２記載のＩＣタグリーダー内蔵携帯情報端末機を提供するものである。
【０００８】
請求項４に係る考案は、前記情報端末機本体は、前記ＩＣタグリーダーがＩＣタグから読み取ったＷｅｂサイトアクセス情報に基づき、Ｗｅｂサイトにアクセス自在に構成されていることを特徴とする請求項１乃至３のうちいずれかに記載のＩＣタグリーダー内蔵携帯情報端末機を提供するものである。
【考案の効果】
【０００９】
本考案の請求項１記載の考案によれば、ＩＣタグ読み取り機能を備えたＩＣタグリーダー内蔵携帯情報端末機を提供することができる。
【００１０】
請求項２記載の考案によれば、情報端末機本体が備えた電源、アプリケーション搭載機能及び表示部をＩＣタグリーダーの機能として併用することができ、ＩＣタグリーダーの構成を簡素、且つ、安価にすることができる。
【００１１】
請求項３記載の考案によれば、折り畳み式情報端末機本体の折り畳み時に於ける前面部にＩＣタグリーダーを取付けることにより、ＩＣタグの読取り操作が容易になる。又、市販の折り畳み式情報端末機本体の前面部にあるサブディスプレイ部分にＩＣタグリーダーを取付けることができる。
【００１２】
請求項４記載の考案によれば、前記情報端末機本体は、前記ＩＣタグリーダーがＩＣタグから読み取ったＷｅｂサイトアクセス情報に基づき、Ｗｅｂサイトにアクセスすることができ、それによってＷｅｂサイトから情報配信を受けることができ、Ｗｅｂサイトに向けた情報発信も可能となる。
【考案を実施するための最良の形態】
【００１３】
以下、実施例を示した図面を参照しつつ本考案の実施の形態を説明する。ここでは携帯情報端末機として携帯電話を例に挙げて説明することにする。図１（ａ）に於いて、１は、本考案によるＩＣタグリーダー内蔵携帯電話であり、ＩＣタグリーダー内蔵携帯電話１は、ＩＣタグの読取機能を備えるＩＣタグリーダーチップ２と、前記ＩＣタグリーダーチップ２ に接続されるＩＣタグ用通信アンテナ３とを備えるＩＣタグリーダー４を携帯電話本体５内に内蔵したものである。
尚、ＩＣタグリーダーチップ２は、ＩＳＯ／ＩＥＣ１５６９３ 及びＩＳＯ／ＩＥＣ１４４４３に準拠したものを使用する。
【００１４】
前記ＩＣタグリーダー４は、図１（ｂ）に示すように、好適には、折り畳み式の携帯電話に取付けられ、折り畳み式の携帯電話本体５の折り畳み時に於ける前面部６、即ち、市販の折り畳み式の携帯電話に於いては、一般的にサブディスプレイが取付けられる部位に、取付けられる。尚、サブディスプレイが取付けられた市販の折り畳み式の携帯電話から、サブディスプレイ部分を取外して、前記ＩＣタグリーダー４を取付けてもよい。
【００１５】
図２（ａ）に示すように、前記ＩＣタグリーダー４ は、携帯電話本体５内の電源により電源を供給され、携帯電話本体５内に搭載されるＩＣタグ専用読取りアプリケーションによって作動し、携帯電話本体５の表示部７に読取結果を表示するように構成されている。
ＩＣタグ用通信アンテナ３は、同図に示すような２ｃｍ×２ｃｍ程度のアンテナ径のものが使用される。
【００１６】
そして、ＩＣタグ用通信アンテナ３と、ＩＣタグリーダー内蔵携帯電話１外にあるＩＣタグ１１とを読取り可能距離、例えば数ｍｍ乃至２ｃｍ程度に近づければ、ＩＣタグ１１内のデータを読取ることができる。尚、ＩＣタグ１１とＩＣタグリーダー４間に使用される周波数は、例えば、１３．５６ＭＨｚである。
【００１７】
而して、携帯電話本体５の電源が入ると、その電源によってＩＣタグリーダー４も通電し、携帯電話本体５の操作によってＩＣタグ専用読取りアプリケーションが起動され、ＩＣタグ通信用アンテナ３をＩＣタグ１１に近づけると、ＩＣタグリーダーチップ２がＩＣタグ１１内の情報を読取り、読み取った情報を携帯電話本体５の表示部７に表示する。
【００１８】
尚、ＩＣタグ用通信アンテナ３は、アンテナ径を大きくとるほど読取り距離を大きくとることができるが、携帯電話本体５内のＩＣタグリーダー４の取り付けスペースが制限される場合は、例えば、図２（ｂ）に示すような１．９ｃｍ×０．８ｃｍ程度のアンテナ径のＩＣタグ用通信アンテナ２１を用いてもよい。
【００１９】
又、前記ＩＣタグリーダー内蔵携帯電話１は、インターネットに接続自在に構成されており、図３に示す如く、前記ＩＣタグリーダー４がＩＣタグ１１から読み取ったＷｅｂサイトアクセス情報に基づき、Ｗｅｂサイト３１にアクセスすることができる。
そして、それによってＷｅｂサイト３１から情報配信を受けることができると共に、Ｗｅｂサイト３１に向けて情報発信も可能である。
また、携帯情報端末機としては携帯電話に限定されず、スマートフォン、ｉＰａｄ（登録商標）又はタブレットコンピュータ等であっても良く、これらの情報端末機であっても上記携帯電話の場合と同様に適用可能である。この場合のＩＣタグとＩＣタグリーダー間に使用される周波数については、例えば、１２５ＫＨｚ、８６０〜９６０ＭＨｚ又は２.４ＧＨｚ帯等にすると良い。
【図面の簡単な説明】
【００２０】
【図１】（ａ）本考案によるＩＣタグリーダー内蔵携帯電話の説明図である。（ｂ）本考案によるＩＣタグリーダーの取り付け位置を示す説明図である。
【図２】（ａ）本考案によるＩＣタグリーダー内蔵携帯電話の機能説明図である。（ｂ）他のＩＣタグ用通信アンテナの平面図である。
【図３】本考案によるＩＣタグリーダー内蔵携帯電話によってＷｅｂサイトにアクセスする状態を示す説明図である。
【符号の説明】
【００２１】
１   ＩＣタグリーダー内蔵携帯電話（ＩＣタグリーダー内蔵携帯情報端末機）
２   ＩＣタグリーダーチップ
３，２１   ＩＣタグ用通信アンテナ
４   ＩＣタグリーダー
５   携帯電話本体（情報端末機本体）
６   前面部
７   表示部
１１   ＩＣタグ
３１   Ｗｅｂサイト
【図１】
0003189286.tif 000003
【図２】
0003189286.tif 000004
【図３】
0003189286.tif 000005